(57)【要約】【課題】遊技球の発射タイミングを調整する変則的な遊技が行われた場合でも、単位時間当たりの賞品球の払出個数が変動しにくいため、そのような変則遊技を効果的に防止することが可能な遊技機を提供する。【解決手段】パチンコ機１は、遊技盤２の遊技領域１６に、左右一対の羽根部材５２，５２を備えた第１大入賞装置１６が設けられており、開成した羽根部材５２，５２から第１大入賞装置１６の内部へ入賞した遊技球が、特別領域５６へ導かれた場合に、遊技者にとって有利な「大当たり状態」が生起するようになっている。そして、パチンコ機１においては、第１大入賞装置１６の羽根部材５２，５２が、「大当たり状態」が生起したこと等を表示する表示装置６の下側に位置した状態になっている。【選択図】図４
2019024554.tif 000002
【特許請求の範囲】
【請求項１】
遊技球が入賞可能な抽選入賞口と、開閉動作を行う特別入賞装置と、文字や図柄を表示可能な表示手段とが遊技領域内に設けられており、前記遊技領域に打ち出された遊技球が前記抽選入賞口に入賞したことを契機として、前記特別入賞装置が開閉動作を実行し、かつ、その開成した特別入賞装置内に入賞した遊技球が特別入賞装置内に設けられた特別領域に導かれた場合に、遊技者にとって有利な特別遊技状態を生起させるとともに、前記特別領域へ遊技球が導かれた旨を前記表示手段に表示する遊技機であって、
前記特別入賞装置が、左右一対の羽根部材を外向きに回動させることによって開成するものであり、それらの羽根部材が、前記表示手段よりも下側に設置されていることを特徴とする遊技機。
【請求項２】
外向きに回動した状態の各羽根部材の先端が、前記表示手段の端縁よりも左右方向における内側に位置していることを特徴とする請求項１に記載の遊技機。
【請求項３】
前記抽選入賞口へ遊技球が入賞してから前記羽根部材の開成開始までの時間が、抽選入賞口への遊技球の入賞タイミングによって変化することを特徴とする請求項１、または請求項２に記載の遊技機。
【発明の詳細な説明】
【技術分野】
【０００１】
本発明は、パチンコ機やスロットマシーン等の遊技機に関するものである。
【背景技術】
【０００２】
遊技機の一種として、従来から、所謂、“羽根もの”と称される可動部品を備えた入賞装置を設置したパチンコ機が知られている。当該“羽根ものパチンコ機”は、ソレノイド等によって回動する一対の羽根からなる羽根部材が、特定の可変入賞装置に設けられており、所定の抽選入賞口に遊技球が入賞したことを契機として、一対の羽根を所定の回数（１回あるいは２回）開閉させて、それらの羽根の開閉動作によって、遊技盤面を流下する遊技球を可変入賞装置内に導き入れるようになっている。
【先行技術文献】
【特許文献】
【０００３】
【特許文献１】特開２００９−２０７７２９号公報
【発明の概要】
【発明が解決しようとする課題】
【０００４】
しかしながら、上記した特許文献１の如き従来のパチンコ機は、羽根部材が遊技領域内の上方に位置しているため、羽根の開閉タイミングに合わせて遊技球発射装置をＯＮ・ＯＦＦさせ遊技球の発射タイミングを調整することによって入賞装置内への入賞確率を高める変則的な遊技方法（所謂“捻り打ち”等）が行われ易い。そして、そのような変則的な遊技が継続されると、単位時間当たりの賞品球の払出個数が予期しないものとなってしまう、という不具合がある。
【０００５】
本発明の目的は、上記従来のパチンコ機の問題点を解消し、遊技球の発射タイミングを調整する変則的な遊技（以下、単に変則遊技という）が行われた場合でも、単位時間当たりの賞品球の払出個数が変動しにくいため、そのような変則遊技を効果的に防止することが可能な遊技機を提供することにある。
【課題を解決するための手段】
【０００６】
かかる本発明のうち、請求項１に記載された発明は、遊技球が入賞可能な抽選入賞口と、開閉動作を行う特別入賞装置と、文字や図柄を表示可能な表示手段とが遊技領域内に設けられており、前記遊技領域に打ち出された遊技球が前記抽選入賞口に入賞したことを契機として、前記特別入賞装置が開閉動作を実行し、かつ、その開成した特別入賞装置内に入賞した遊技球が特別入賞装置内に設けられた特別領域に導かれた場合に、遊技者にとって有利な特別遊技状態を生起させるとともに、前記特別領域へ遊技球が導かれた旨を前記表示手段に表示する遊技機であって、前記特別入賞装置が、左右一対の羽根部材を外向きに回動させることによって開成するものであり、それらの羽根部材が、前記表示手段よりも下側に設置されていることを特徴とするものである。
【０００７】
請求項２に記載された発明は、請求項１に記載された発明において、外向きに回動した状態の各羽根部材の先端が、前記表示手段の端縁よりも左右方向における内側に位置していることを特徴とするものである。
【０００８】
請求項３に記載された発明は、請求項１、または請求項２に記載された発明において、前記抽選入賞口へ遊技球が入賞してから前記羽根部材の開成開始までの時間が、抽選入賞口への遊技球の入賞タイミングによって変化することを特徴とするものである。
【発明の効果】
【０００９】
請求項１に記載の遊技機は、特別入賞装置が、左右一対の羽根部材を外向きに回動させることによって開成するものであり、それらの羽根部材が表示手段よりも下側に設置されており、従来の遊技機に比べて遊技領域への導入部分（誘導レールの上端）から羽根部材の先端までの距離（すなわち、上下方向の距離）が長くなっているので、遊技球の打ち出し位置（打ち出し強度）が変動した場合でも、単位時間当たりの特別入賞装置内への遊技球の入賞個数が変動しにくい。したがって、請求項１に記載の遊技機によれば、大当たり状態の生起時に遊技球発射装置をＯＮ・ＯＦＦすることによって特別入賞装置内への遊技球の入賞個数を高める変則遊技を効果的に防止することが可能となる。
【００１０】
請求項２に記載の遊技機は、外向きに回動した状態の各羽根部材の先端が、表示手段の端縁よりも左右方向における内側に位置しており、従来の遊技機に比べて遊技領域の左右の端縁から羽根部材の先端までの距離も長くなっているので、“捻り打ち”をより効果的に防止することができる。
【００１１】
請求項３に記載の遊技機は、抽選入賞口へ遊技球が入賞してから羽根部材の開成開始までの時間（インターバル）が抽選入賞口への遊技球の入賞タイミングによって変化するため、抽選入賞口に遊技球が入賞したタイミングで特定の方向（遊技機の設計上で予定していない方向）へ遊技球を打ち込むタイプの変則的な遊技や、当該インターバルを踏まえた間隔をあけて遊技球を発射することによって羽根部材から特別入賞装置内への入賞確率を高めるタイプの変則的な遊技を効果的に防止することができる。
【図面の簡単な説明】
【００１２】
【図１】パチンコ機を前面側から示した説明図である。
【図２】遊技盤を前面側から示した説明図である。
【図３】パチンコ機を後面側から示した説明図である。
【図４】第１大入賞装置を前面側から示した説明図である。
【発明を実施するための形態】
【００１３】
以下、本発明の遊技機の一実施形態であるパチンコ機について、図面に基づいて詳細に説明する。
【００１４】
＜パチンコ機の構造＞
図１は、パチンコ機１を前面側から示した説明図であり、図２は、遊技盤２を前面側から示した説明図であり、図３は、パチンコ機１を後面側から示した説明図である。パチンコ機１は、遊技盤２の前面に形成された遊技領域１６内へ遊技球を打ち込み、遊技領域１６内を流下させて遊技するものであって、遊技盤２は、支持体として機能する機枠３の前面上部に、金属製のフレーム部材であるミドル枠５を介して設置されている。また、遊技盤２の前方には、ガラス板を支持してなる前扉４が、左端縁を軸として片開き可能に機枠３に蝶着されており、該前扉４によって閉塞される遊技盤２の前方空間が遊技領域１６とされている。
【００１５】
当該遊技領域１６は、遊技盤２の前面に円弧状に配設された外レール２３および内レール２４（誘導レール）等によって囲まれており、遊技領域１６に左部における両レール２３、２４間が遊技球を遊技領域１６内へ打ち込むための発射通路１３とされている。また、遊技領域１６の上寄りとなる位置には、「０」〜「９」の数字からなる図柄や種々のメッセージ等を表示するための表示部６ａ、６ａを備えたドット表示器である表示装置６（表示手段）が設置されている。さらに、表示装置６の下方で遊技領域１６の中央部から下部にかけて、遊技球が進入する進入口５１，５１、各進入口５１を開閉する羽根部材５２、進入口５１，５１から進入した遊技球を合流させる合流路５３，５３、合流路５３，５３の下流端から分岐しつつ下方へ延びる遊技球流路５４、シーソー役物３０を始めとした種々の電動装置、シーソー役物３０へ遊技球を送り込むための送球部材３１、遊技球が通過可能な特別領域５６、およびアウト口５７，５７等を備えた特別入賞装置である第１大入賞装置２６が設置されている。
【００１６】
また、表示装置６および第１大入賞装置２６の左方には、遊技球が流下可能で、遊技球が入賞可能な抽選入賞口１９、および複数の普通入賞口８４，８４・・等が設置された左打ち用スペースＳＬが形成されており、この左打ち用スペースＳＬを流下させることで、抽選入賞口１９への遊技球の入賞が狙えるようになっている。一方、表示装置６および第１大入賞装置２６の右方にも遊技球が流下可能な右打ち用スペースＳＲが形成されている。この右打ち用スペースＳＲには、遊技球が通過可能なゲート部材２０、開閉動作する可動片を有する可動入賞装置１７、遊技球の特別領域５６の通過に起因して開成する特別入賞装置である第２大入賞装置１８、および普通入賞口８４が設置されている。そして、この右打ち用スペースＳＲを流下させることで、ゲート部材２０を通過させたり、開動作している可動入賞装置１７へ入賞させたり、開成している第２大入賞装置１８へ入賞させたりすることができるようになっている。なお、左打ち用スペースＳＬや右打ち用スペースＳＲには、多数の遊技釘が植設されている。また、第１大入賞装置２６への遊技球の入賞は、左打ち用スペースＳＬおよび右打ち用スペースＳＲのどちらを流下させても、ほぼ同じ確率で狙うことができる。さらに、遊技領域１６の最下端には、当該位置まで到達した遊技球を遊技領域１６外へ排出するための排出口４７が設けられている。
【００１７】
また、機枠３の前面側であって上記遊技盤２の下方には、発射装置１０へ供給する遊技球を貯留するための供給皿７、および、供給皿７から溢れた遊技球を貯留するための貯留皿８が取り付けられており、供給皿７は前扉４の開放に伴い、貯留皿８はミドル枠５の開放に伴い、夫々機枠３に対して片開き可能となっている。さらに、貯留皿８の右側には、遊技球発射装置１０を作動させ、遊技球の遊技領域１６への打ち込み強度を調整するためのハンドル９が回動操作可能に設置されている。加えて、供給皿７の前方には、遊技者が任意に押し込み操作可能な遊技ボタン２５が設けられている。
【００１８】
さらに、前扉４の上部には、効果音や各種メッセージ等を報音する夫々一対のスピーカ１４，１４が設けられている。加えて、前扉４の左右両側部には、パチンコ機１の遊技状態等に応じて点灯・点滅する複数のＬＥＤを内蔵したランプ部材１５，１５・・が設けられている。
【００１９】
一方、機枠３の後面側には、供給皿７へ貸球や賞品球として払い出される遊技球を貯留するための貯留タンク１１、当該貯留タンク１１と連結された払出装置１２、払出装置１２における払い出し動作を制御する払出制御装置２８、および、各制御基板や装置・部材に電源電圧を供給するための電源装置２９等が設置されている。また、機枠３の後面の上部には、合成樹脂製で扁平な直方体状に形成されたセンターカバー２１が設置されている。当該センターカバー２１の内部には、遊技に係る主たる制御（たとえば、所謂大当たり抽選等）を実行するためのメイン制御装置（図示せず）、表示装置６における表示動作等を制御する表示制御装置（図示せず）、ランプ部材１５の点灯・点滅動作等を制御する発光制御装置（図示せず）、スピーカ１４からの報音動作を制御する音制御装置（図示せず）、および表示制御装置や音制御装置等の動作を統合的に制御するサブ制御装置（図示せず）等が設置されている。また、電源装置２９の右斜め下方には、供給皿７内の遊技球を遊技領域内へ打ち込むための遊技球発射装置１０が設置されている。
【００２０】
＜パチンコ機の遊技内容＞
以上のようなパチンコ機１では、遊技者はハンドル９を回動操作して発射装置１０を作動させ、発射通路１３を介して遊技球を遊技領域１６内へ打ち込み、まずは左打ち用スペースＳＬを流下させ（所謂、“左打ち”を行い）、抽選入賞口１９への遊技球の入賞を狙う。また、遊技球が抽選入賞口１９へ入賞すると、表示装置６に所定の小当たり表示がなされた後に、羽根部材５２，５２が作動して進入口５１，５１が開放される（すなわち、第１大入賞装置２６が開成する）。そこで、“左打ち”を継続し、第１大入賞装置２６の左側から遊技球の第１大入賞装置２６への進入（第１大入賞装置２６への入賞）、ひいては特別領域５６の通過を狙う。
【００２１】
そして、遊技球が特別領域５６を通過すると、第２大入賞装置１８が所定回数にわたり断続的に開成する所謂「大当たり状態」が生起する。そこで、遊技者は、遊技球を右打ち用スペースＳＲへ打ち込んで流下させる所謂、“右打ち”を行い、断続的に開成する第２大入賞装置１８への遊技球の入賞を狙う。また、遊技球が特別領域５６を通過（入賞）した場合には、表示装置６に、「Ｖ，Ｖ」等の図柄を表示することによって（ボーナス獲得表示）、「大当たり状態」が生起した旨が表示される。なお、第１大入賞装置２６へ進入したものの、特別領域５６を通過しなかった遊技球は、何れかのアウト口５７を介して遊技盤２の後面側へ排出される。
【００２２】
また、「大当たり状態」が終了すると、ゲート部材２０への遊技球の通過検知に起因して実行される所謂当たり抽選の結果が「当たり」となり易く、可動入賞装置１７が頻繁に開状態となって遊技球の入賞が可能となる所謂、「サポート状態」が生起する。そこで、遊技者は“右打ち”を継続し、ゲート部材２０への遊技球の通過、および、頻繁に開状態となる可動入賞装置１７への遊技球の入賞を狙う。そして、遊技球が可動入賞装置１７へ入賞すると、表示装置６に所定の小当たり表示がなされた後に、羽根部材５２，５２が作動して進入口５１，５１が開放されるため、“右打ち”を継続し、第１大入賞装置２６の右側から遊技球の第１大入賞装置２６への進入、ひいては、特別領域５６の通過を狙う。
【００２３】
上記した「サポート状態」は、羽根部材５２，５２が作動することによる第１大入賞装置２６の開成回数が所定回数に達するまで継続される。したがって、「サポート状態」中に遊技球が特別領域５６を通過する度に、「大当たり状態」の生起、および「大当たり状態」の終了に伴う「サポート状態」の生起がループすることになる。一方、「サポート状態」中に遊技球が特別領域５６を通過することなく、第１大入賞装置２６の開成回数が所定回数に達すると、「サポート状態」は終了となり、ゲート部材２０への遊技球の通過検知に起因して実行される当たり抽選の結果が「当たり」となりにくく（あるいは「当たり」とならず）、可動入賞装置１７がほぼ開状態とならない（あるいは開状態になることがない）遊技開始当初の通常状態へ復帰する。そのため、遊技者は、“右打ち”を止めて“左打ち”を行う上記遊技へと戻る。
【００２４】
＜パチンコ機の特徴部分の構成および効果＞
パチンコ機１においては、第一大入賞装置２６内へ遊技球を入賞させるための羽根部材５２，５２の設置態様が、従来のパチンコ機と異なっている。すなわち、パチンコ機１においては、羽根部材５２，５２が、表示装置６よりも下側に設置されている。さらに、羽根部材５２，５２は、抽選入賞口１９よりも下側に設置されている。加えて、パチンコ機１においては、外向きに回動した状態の各羽根部材５２，５２の先端が、表示装置６の端縁よりも左右方向における内側に位置している。さらに、第一大入賞装置２６の羽根部材５２，５２は、遊技盤２の盤面の略中央に位置した状態になっており、左打ち用スペースＳＬあるいは右打ち用スペースＳＲのどちらから遊技球を流下させても、その遊技球は、ほぼ同じくらいの時間（平均的な時間）をかけて羽根部材５２，５２の先端に到達するような構造（所謂、ゲージ構成）になっている。
【００２５】
加えて、パチンコ機１は、メイン制御装置（図示せず）の記憶手段に、遊技球が抽選入賞口１９へ入賞してから羽根部材が開放するまでのインターバル（時間）である「小当り演出時間」が複数種類記憶されており、遊技球が抽選入賞口１９へ入賞したのを契機として、それらの「小当り演出時間」の内のいずれかが、メイン制御装置内の内部抽選によって選択されるように制御される。
【００２６】
パチンコ機１は、第一大入賞装置２６の羽根部材５２，５２の設置態様が、上記の如く、従来のパチンコ機と異なっているため、以下のような効果を奏する。
（１）羽根部材５２，５２が、抽選入賞口１９よりも下側に設置されているため、抽選入賞口１９への入賞を狙いながら、開成した羽根部材５２，５２から第１大入賞装置２６内への入賞を狙うことが可能であり、遊技内容が明確かつ簡便であるので、長期間に亘って遊技者の遊技意欲を高く保持することができる。
（２）羽根部材５２，５２が、表示装置６よりも下側に位置しており、従来のパチンコ機に比べて遊技領域１６への導入部分（内レール２４の上端）から（開成した）羽根部材５２，５２の先端までの距離（すなわち、上下方向の距離）が長くなっているので、遊技球の打ち出し位置（打ち出し強度）が変動した場合でも、単位時間当たりの第１大入賞装置２６や第二大入賞装置１８内への遊技球の入賞個数が変動しにくい。したがって、パチンコ機１によれば、「大当たり状態」の生起時に遊技球発射装置１０をＯＮ・ＯＦＦすることによって第１大入賞装置２６や第二大入賞装置１８への遊技球の入賞個数を高める変則遊技を効果的に防止することができる。
（３）外向きに回動した状態の各羽根部材５２，５２の先端が、表示装置６の端縁よりも左右方向における内側に位置しており、従来の遊技機に比べて遊技領域１６の左右の端縁から羽根部材５２，５２の先端までの距離が長くなっているので、上記した変則遊技をより効果的に防止することができる。
（４）左打ち用スペースＳＬあるいは右打ち用スペースＳＲのどちらから遊技球を流下させても、その遊技球が、ほぼ同じくらいの時間をかけて羽根部材５２，５２の先端に到達するゲージ構成になっているため、左打ち遊技を推奨する遊技状態（すなわち、「大当たり状態」および「サポート状態」以外の遊技状態）中に、抽選入賞口１９に入賞したタイミングで右打ちする変則的な遊技（すなわち、抽選入賞口１９への入賞直後に右打ちすることにより右側の羽根部材５２の先端から第一大入賞装置２６への入賞を狙う遊技等）をしても、通常の左打ち遊技を継続した場合と比べて、羽根部材５２，５２への入賞確率に顕著な差が生じないので、そのような変則的な遊技を効果的に防止することができる。
（５）遊技球が抽選入賞口１９へ入賞するタイミングによって「小当り演出時間」（すなわち、遊技球が抽選入賞口１９へ入賞してから羽根部材が開成するまでのインターバル）が変化するため、上記した「左打ち遊技を推奨する遊技状態中に、抽選入賞口１９に入賞したタイミングで右打ちする変則的な遊技」や「抽選入賞口１９への入賞から羽根部材５２，５２の開成開始までのインターバルを踏まえた間隔をあけて遊技球を発射することによって羽根部材５２，５２への入賞確率を高めるという変則的な遊技」を、より効果的に防止することができる。
【００２７】
＜遊技機の変更例＞
なお、本発明に係る遊技機の構成は、上記実施形態の構成に何ら限定されるものではなく、抽選入賞口、表示手段（表示装置）、特別入賞装置（第１大入賞装置、第２大入賞装置）、羽根部材、遊技球発射装置等の形状、構造等の構成や、「大当たり状態」の生起時の作動内容等の遊技内容等を、本発明の趣旨を逸脱しない範囲で必要に応じて適宜変更することができる。
【００２８】
たとえば、本発明に係る遊技機は、上記実施形態の如く、遊技球の特別領域への入賞を条件として、第１大入賞装置を所定回数にわたって断続的に開成させる（羽根部材を開成させる）とともに第２大入賞装置を所定回数にわたって断続的に開成させる「大当たり状態」を所定回数だけ継続させるものに限定されず、遊技球の特別領域への入賞を条件として、第１大入賞装置のみを所定回数にわたって断続的に開成させる「大当たり状態」を所定回数だけ継続させるもの等に変更することも可能である。また、本発明に係る遊技機は、「大当たり状態」の終了後に「サポート状態」を生起させるものに限定されず、「大当たり状態」の終了後に通常の遊技状態に復帰するもの等でも良い。加えて、本発明に係る遊技機は、上記実施形態の如く、“左打ち用スペースあるいは右打ち用スペースのどちらから遊技球を流下させても、その遊技球がほぼ同じくらいの時間をかけて羽根部材の先端に到達するゲージ構成であるもの”に限定されず、“右打ち用スペースから遊技球を流下させた場合には、左打ち用スペースから遊技球を流下させた場合よりも、その遊技球が羽根部材の先端に到達するまでの時間が長くなるゲージ構成であるもの”等に変更することも可能である。
【００２９】
なお、特許請求の範囲、明細書および図面に記載される全ての要素（たとえば、遊技領域、遊技盤、振分手段、大型遊技部材、制御装置等）は、個数を意識的に限定する明確な記載がない限り、物理的に単一であっても複数であっても構わないし、適宜配置の変更が行われても構わない。また、特許請求の範囲や明細書等で使用している要素名（要素につけた名称）は、単に本件の記載のために便宜上付与したにすぎないものであり、それによって特別な意味が生じることを特に意識したものではない。すなわち、要素名のみによって要素が何であるかが限定解釈されるものではない。さらには、上述した全ての要素のうちの複数の要素を一体的に構成するか、もしくは一つの要素を複数の要素に分けて構成するかは、あえて特許請求の範囲等において特定していない限り、いずれも当業者であればきわめて容易に考えられる事項であるため、あえて明細書等において全パターンを記載しなくてもいずれのパターンも想定範囲内であることが明らかであることから、本発明に係る権利範囲に含まれることに疑いの余地はない。したがって、その程度の範囲内での構成上の差異しかない遊技機を、本実施例に記載がなされていないことを理由にするのみでは、本発明に係る権利を回避したことにはならない。その他、各要素の構成や形状等における、本実施例から当業者であれば容易に考えられる自明な範囲の差異についても同様である。
【符号の説明】
【００３０】
１・・パチンコ機（遊技機）
６・・表示装置（表示手段）
１０・・遊技球発射装置
１６・・遊技領域
１８・・第２大入賞装置（特別入賞装置）
１９・・抽選入賞口
２３・・内レール（誘導レール）
２６・・第１大入賞装置（特別入賞装置）
【図１】
2019024554.tif 000003
【図２】
2019024554.tif 000004
【図３】
2019024554.tif 000005
【図４】
2019024554.tif 000006